(57)【要約】【課題】  複写機、ファクシミリ、プリンタ等の画像形成装置に搭載される光走査装置に備えられた偏向部材を、これを覆うケースごと、光走査装置本体に対して、かかる偏向部材によるビームの偏向方向に垂直な方向以外の方向から着脱可能とする取り付け構造、この取り付け構造を有するかかる光走査装置およびこれらを備えたかかる画像形成装置の提供。【解決手段】光源から出射されたビームを偏向する偏向部材を収納したケース７９を、光走査装置本体６９に対し、偏向部材により偏向されたビームの出射方向に平行なＢ方向から着脱可能とした。【選択図】図６
2005266208.tif 000002
【特許請求の範囲】
【請求項１】
光源から出射されたビームを偏向する偏向部材を収納したケースと、光走査装置本体とを着脱可能とする取り付け構造であって、上記ケースを、上記光走査装置本体に対し、偏向部材により偏向されたビームの出射方向に平行な方向から着脱可能とした取り付け構造。
【請求項２】
請求項１記載の取り付け構造において、上記方向に垂直な面によって構成され、互いに係合する、上記ケースに備えられた係合面と、上記光走査装置本体に備えられた被係合面とを有することを特徴とする取り付け構造。
【請求項３】
請求項２記載の取り付け構造において、上記被係合面が、上記光走査装置本体に備えられた弾性を有する弾性部材に具備されていることを特徴とする取り付け構造。
【請求項４】
請求項１ないし３の何れか１つに記載の取り付け構造において、上記ケースと上記光走査装置本体とを互いに位置決めするための位置決め手段を有することを特徴とする取り付け構造。
【請求項５】
請求項４記載の取り付け構造であって、上記係合面と上記被係合面とを有する取り付け構造において、上記位置決め手段が、上記係合面と上記被係合面とのうちの、何れか一方に凸設された凸部と、何れか他方に凹設され上記凸部と互いに係合する凹部とを有することを特徴とする取り付け構造。
【請求項６】
請求項１ないし５の何れか１つに記載の取り付け構造と、上記ケースと、上記光走査装置本体とを有する光走査装置。
【請求項７】
請求項１ないし５の何れか１つに記載の取り付け構造、または、請求項６記載の光走査装置を有する画像形成装置。
【請求項８】
請求項７記載の画像形成装置において、画像形成装置本体内部を覆う被覆部材を有し、上記ケースが、上記被覆部材を画像形成装置本体から取り外したときに露出し、上記方向から着脱可能となることを特徴とする画像形成装置。
【発明の詳細な説明】
【技術分野】
【０００１】
本発明は、複写機、ファクシミリ、プリンタ等の画像形成装置に搭載される光走査装置に備えられた偏向部材を、これを覆うケースごと、光走査装置本体に対して着脱可能とする取り付け構造、この取り付け構造を有するかかる光走査装置およびかかる取り付け構造またはかかる光走査装置を備えたかかる画像形成装置に関する。
【背景技術】
【０００２】
複写機、ファクシミリ、プリンタ等の画像形成装置は、レーザビームを感光体等の像担持体の表面に照射して画像情報に応じた潜像を像担持体上に形成する光走査装置を備えている。このような光走査装置においては、たとえば〔特許文献１〕ないし〔特許文献７〕に記載されているように、光源から出射されたレーザビームを、回転するポリゴンミラーにより偏向し、偏向されたレーザビームの光路中に配設された、レーザビームを像担持体に結像させるための光学素子群を経て、像担持体上を走査するようにしている。
【０００３】
かかる従来の光走査装置の例を図９以下に示す。
図９または図１０または図１１に示すように、従来の光走査装置１０１は、レーザビームとしてのビームを発する光源１０２、１０３と、光源１０２から発せられたビームを透過し、光源１０３から発せられたビームを反射するミラー１０４と、ミラー１０４を経たビームを偏向するためのポリゴンユニット１０５と、ポリゴンユニット１０５によって偏向されたビームを透過するｆθレンズ１０６、１０７と、ｆθレンズ１０６、１０７を透過した、光源１０２からのビーム、光源１０３からのビームをそれぞれ反射するミラー１０８、１０９とを有している。
【０００４】
光走査装置１０１はまた、ミラー１０８によって反射されたビームを反射するミラー１１０と、ミラー１１０によって反射されたビームを反射するミラー１１１、１１２と、ミラー１１１、１１２によって反射されたビームを検知する同期検知センサ１１３、１１４と、ミラー１１０、１０９によって反射されたそれぞれのビームを透過するＢＴＬレンズであるトロイダルレンズ１１５、１１６と、トロイダルレンズ１１５、１１６を透過したそれぞれのビームを像担持体である感光体ドラムとしての感光体１１２に向けて反射するミラー１１７、１１８と、光学箱としてのケーシング１１９とを有している。
【０００５】
図１０に示すように、ポリゴンユニット１０５は、モータ１２０と、モータ１２０によって回転駆動され、光源１０２からのビーム、光源１０３からのビームをそれぞれ反射する回転多面鏡である偏向部材としてのポリゴンミラー１２１、１２２とを有している。
図１１に示すように、ケーシング１１９は、ケーシング本体１２４、上カバー１２５等を有している。
ｆθレンズ１０６、１０７、ミラー１０８、１０９、ミラー１１０、ミラー１１１、１１２、トロイダルレンズ１１５、１１６、ミラー１１７、１１８は、光学素子群を構成している。
【０００６】
ケーシング１１９は、かかる光学素子群、ポリゴンユニット１０５、光源１０２、１０３、ミラー１０４等を、高精度に固定し、保持している。ケーシング１１９は、かかる光学素子群等が埃、ごみ等を嫌うことから、内部の空間を密閉し、防塵性を有しているとともに、かかる密閉により、遮光性も担保している。
【０００７】
しかしながら、ケーシング１１９の内部空間を密閉すると、ポリゴンミラー１２１、１２２を高速で回転駆動する必要から、ポリゴンユニット１０５は発熱するため、ケーシング１１９の内部空間に熱がこもり、かかる光学素子群、光源１０２、１０３等が昇温し、光学性能が劣化し、画像形成に影響を与えるという問題がある。
【０００８】
この問題を解決する手段としてポリゴンユニット１０５を冷却することも考えられるが、ポリゴンユニット１０５の周りにかかる光学素子群、光源１０２、１０３等が配設されているため、冷却ファン等を用いて冷却を行うことは困難であり、かといって、ケーシング１１９を冷却するという間接的な冷却方法や、ポリゴンユニット１０５の一部をケーシング１１９の外部に露出させ露出した部分の冷却を行う冷却方法では、冷却効率が低いという問題がある。
【０００９】
また、他の問題として、ポリゴンユニット１０５は、ポリゴンミラー１２１、１２２が高速で回転駆動するため、画像形成装置の寿命前に故障等を起こし、しばしばその交換を要することがあるが、ポリゴンユニット１０５の交換のためには、上カバー１２５を取り外すなどして、光走査装置１０１の内部を露出させる必要があり、このときに埃等が侵入して、光学性能が劣化し、画像形成に影響を与えるという問題がある。
【００１０】
これらの問題は、図９ないし図１１に示した２ビームタイプの従来の光走査装置１０１に限らず、図１２に示す１ビームタイプの従来の光走査装置１２３においても同様である。なお、光走査装置１２３において光走査装置１０１の構成と同様の構成には同様の符号を付するに留め、光走査装置１２３についての説明は省略する。
【００１１】
そこで、図１３ないし図１５に示すように、出願人は、ポリゴンユニット１０５を、ケーシング１１９内の、かかる光学素子群、ポリゴンユニット１０５、光源１０２、１０３、ミラー１０４を収容した空間１２７とは別の空間１２８において保持する光走査装置１２６を提案した。なお、光走査装置１２６において光走査装置１０１、１２３の構成に対応する構成には同様の符号を付するに留め、光走査装置１２６についての説明は、主に、光走査装置１０１、１２３と異なる構成について行う。
【００１２】
光走査装置１２６は、ポリゴンユニット１０５が、ポリゴンミラー１２１、１２２を覆い、密閉するカバー１２９を有している。カバー１２９は、その大部分を占める本体１３０と、ポリゴンミラー１２１、１２２へのビームの入出射を行うための開口部である図示しない走査窓を塞ぐ防音ガラス１３１とを有している。なお、ケーシング１１９にも、走査窓に対向する部分に、ビームの出入射を行うための開口部１３５が形成されている。
【００１３】
光走査装置１２６はまた、かかる開口部と連通する長孔１３２を有し、ケーシング１１９とカバー１２９との間に挟持される態様で配設される、発泡ウレタン等の弾性を有するシール部材１３３と、ポリゴンユニット１０５を覆い上カバー１２５と独立してケーシング１１９に対して着脱される、カバー１３４とを有している。
【００１４】
このように、光走査装置１２６は、上カバー１２５と別体のカバー１３４を有しているため、空間１２７を開放することなく、カバー１３４を離脱することで、ポリゴンユニット１０５を交換でき、交換作業が容易であり、交換性が大幅に向上しているとともに、ポリゴンユニット１０５を交換するときに、空間１２７内に埃等が侵入することを抑制している。
【００１５】
また、ポリゴンユニット１０５が空間１２７とは別の空間１２８に位置するため、ポリゴンユニット１０５が発熱しても、空間１２７内の光学素子群、光源１０２、１０３等が昇温することを抑制し、これらの光学性能の劣化を抑制し、画像形成に与える影響を極めて小さくしている。
【００１６】
さらに、シール部材１３３がポリゴンユニット１０５の取り付け位置精度を向上しているため、ポリゴンユニット１０５をいわゆる外付けしたことによる光学性能の低下が生じることがない。
すなわち、ポリゴンミラー１２１、１２２は、光学素子群、光源１０２、１０３等との位置関係を、精度よく設定する必要があるが、ポリゴンユニット１０５をケーシング１１９に対して単に取り付けるだけでは次のような問題がある。
【００１７】
たとえば、ポリゴンユニット１０５をその交換時にケーシング１１９に対して隙間なく密着させることが困難である等の理由から、ポリゴンユニット１０５を外付けしたことによって光学性能が低下するおそれがあるという問題がある。
また、防音ガラス１３１とケーシング１１９との当接の精度を上げて、交換時等の取り付け時にポリゴンユニット１０５とケーシング１１９との間の隙間をなくすことができたとしても、ポリゴンユニット１０５の発熱により、ポリゴンユニット１０５自身およびケーシング１１９が膨張すると、ポリゴンユニット１０５とケーシング１１９との間に大きな応力が発生することとなり、ポリゴンミラー１２１、１２２の位置精度や姿勢に影響を及ぼし、光学性能が低下するおそれがあるという問題がある。
【００１８】
しかし、弾性を有するシール部材１３３をポリゴンユニット１０５とケーシング１１９との間に挟持させた態様で配設したことにより、ポリゴンユニット１０５をケーシング１１９に対して容易に隙間なく密着させることができるとともに、ポリゴンユニット１０５の発熱時にポリゴンユニット１０５とケーシング１１９との間に大きな応力が発生することを防止し、光学性能の低下を防止している。なお、シール部材１３３は遮光性も有しており、光学的な密閉性も担保している。
【００１９】
ポリゴンユニット１０５を外付けしたことは、ポリゴンユニット１０５を冷却することによって上述した光学素子群、光源１０２、１０３等の昇温による光学性能の低下をさらに促進させることにも適しており、出願人は、これを実現すべく、図１６に示す、ポリゴンユニット１０５を冷却する冷却構造１３７を備えた光走査装置を、ポリゴンユニット１０５を外付けした上述の光走査装置１２６の構成例として提案している。
【００２０】
図１６に示すように、冷却構造１３７は、ケーシング１１９の、ポリゴンユニット１０５を支持した部分とケース１２９とのそれぞれに形成された冷却フィンとしての通風ガイド１３８、１３９と、空間１２８内に空気を吹き込む通風ファン１４０と、排気口１４１とを有しており、通風ファン１４０によって外部から吹き込まれた空気を通風ガイド１３８、１３９に沿って通過させる過程でポリゴンユニット１０５を冷却し、ポリゴンユニット１０５との熱交換により昇温した空気を排気口１４１から排気するものである。
【００２１】
これにより、ポリゴンユニット１０５は効率よく冷却され、上述した光学素子群、光源１０２、１０３等の昇温による光学性能の低下をさらに促進されている。
なお、出願人が提案した、ポリゴンユニット１０５を外付けした構成および冷却構造１３７を適用した構成は、図１２に示した１ビームタイプの従来の光走査装置１２３にも同様に適用することが可能である。
【００２２】
【特許文献１】特開２００２−６２５０３号公報
【特許文献２】特開平１０−４７７３９号公報
【特許文献３】特開２０００−３３００５５号公報
【特許文献４】特開２００１−９１８８７号公報
【特許文献５】特開２０００−３２１５１９号公報
【特許文献６】特開２００２−７２１１６号公報
【特許文献７】特開平８−１９４１４３号公報
【発明の開示】
【発明が解決しようとする課題】
【００２３】
しかしながら、出願人が提案したかかる構成にも、ポリゴンユニット１０５の着脱性をさらに向上させる余地がある。すなわち、かかる構成では、図１４と図１５とから明らかなように、ポリゴンユニット１０５の着脱方向が、ポリゴンミラー１２１、１２２によるビームの走査方向である図１４における左右方向に垂直な方向であって、光走査装置１２６の上下方向すなわち図１４における上下方向に限られているため、画像形成装置内における光走査装置１２６の配設位置によっては、たとえば、ポリゴンユニット１０５を露出させるために画像形成装置の筐体を取り外したうえで画像形成装置内に配設された他のユニットや部品を取り外す必要があるなどの理由から、ポリゴンユニット１０５の着脱が困難になることが有り得る。
【００２４】
これを回避するべく、ポリゴンユニット１０５の着脱を、画像形成装置の筐体を取り外すのみで行うことができるように、画像形成装置内に交換のための空間を確保することも考えられるが、これでは画像形成装置の大型化を招いてしまう。
このように、ポリゴンユニットの着脱作業性のさらなる向上、および画像形成装置内の空間の有効利用が期待されるところである。
【００２５】
本発明は、複写機、ファクシミリ、プリンタ等の画像形成装置に搭載される光走査装置に備えられた偏向部材を、これを覆うケースごと、光走査装置本体に対して、かかる偏向部材によるビームの偏向方向に垂直な方向以外の方向から着脱可能とする取り付け構造、この取り付け構造を有するかかる光走査装置およびかかる取り付け構造またはかかる光走査装置を備えたかかる画像形成装置であって特にかかるケースの着脱が容易な画像形成装置を提供することを目的とする。
【課題を解決するための手段】
【００２６】
上記目的を達成するため、請求項１記載の発明は、光源から出射されたビームを偏向する偏向部材を収納したケースと、光走査装置本体とを着脱可能とする取り付け構造であって、上記ケースを、上記光走査装置本体に対し、偏向部材により偏向されたビームの出射方向に平行な方向から着脱可能とした取り付け構造にある。
【００２７】
請求項２記載の発明は、請求項１記載の取り付け構造において、上記方向に垂直な面によって構成され、互いに係合する、上記ケースに備えられた係合面と、上記光走査装置本体に備えられた被係合面とを有することを特徴とする。
【００２８】
請求項３記載の発明は、請求項２記載の取り付け構造において、上記被係合面が、上記光走査装置本体に備えられた弾性を有する弾性部材に具備されていることを特徴とする。
【００２９】
請求項４記載の発明は、請求項１ないし３の何れか１つに記載の取り付け構造において、上記ケースと上記光走査装置本体とを互いに位置決めするための位置決め手段を有することを特徴とする。
【００３０】
請求項５記載の発明は、請求項４記載の取り付け構造であって、上記係合面と上記被係合面とを有する取り付け構造において、上記位置決め手段が、上記係合面と上記被係合面とのうちの、何れか一方に凸設された凸部と、何れか他方に凹設され上記凸部と互いに係合する凹部とを有することを特徴とする。
【００３１】
請求項６記載の発明は、請求項１ないし５の何れか１つに記載の取り付け構造と、上記ケースと、上記光走査装置本体とを有する光走査装置にある。
【００３２】
請求項７記載の発明は、請求項１ないし５の何れか１つに記載の取り付け構造、または、請求項６記載の光走査装置を有する画像形成装置にある。
【００３３】
請求項８記載の発明は、請求項７記載の画像形成装置において、画像形成装置本体内部を覆う被覆部材を有し、上記ケースが、上記被覆部材を画像形成装置本体から取り外したときに露出し、上記方向から着脱可能となることを特徴とする。
【発明の効果】
【００３４】
本発明は、光源から出射されたビームを偏向する偏向部材を収納したケースと、光走査装置本体とを着脱可能とする取り付け構造であって、上記ケースを、上記光走査装置本体に対し、偏向部材により偏向されたビームの出射方向に平行な方向から着脱可能とした取り付け構造にあるので、偏向部材を、これを覆うケースごと、光走査装置本体に対して、かかる偏向部材によるビームの偏向方向に垂直な方向以外の方向から着脱可能とすることができるから、ケースの組み付け性、交換性を確保するための構成の自由度が高く、またこれを備える画像形成装置、光走査装置のレイアウトの自由度が高いとともに同画像形成装置内の空間を有効に活用することができ、さらには同画像形成装置、光走査装置の小型化、省スペース化に寄与することができる取り付け構造を提供することができる。
【００３５】
偏向部材により偏向されたビームの出射方向に平行な方向に垂直な面によって構成され、互いに係合する、ケースに備えられた係合面と、光走査装置本体に備えられた被係合面とを有することとすれば、偏向部材を、これを覆うケースごと、光走査装置本体に対して、かかる偏向部材によるビームの偏向方向に垂直な方向以外の方向から着脱可能とすることができるから、ケースの組み付け性、交換性を確保するための構成の自由度が高いとともに、係合面と被係合面との係合によりケースの位置精度を担保することができ、またこれを備える画像形成装置、光走査装置のレイアウトの自由度が高いとともに同画像形成装置内の空間を有効に活用することができ、さらには同画像形成装置、光走査装置の小型化、省スペース化に寄与することができるとともに、高性能化することができる取り付け構造を提供することができる。
【００３６】
被係合面が、光走査装置本体に備えられた弾性を有する弾性部材に具備されていることとすれば、偏向部材を、これを覆うケースごと、光走査装置本体に対して、かかる偏向部材によるビームの偏向方向に垂直な方向以外の方向から着脱可能とすることができるから、ケースの組み付け性、交換性を確保するための構成の自由度が高いとともに、係合面と弾性部材に具備された被係合面との係合によりケースの位置精度をより高度に担保することができ、またこれを備える画像形成装置、光走査装置のレイアウトの自由度が高いとともに同画像形成装置内の空間を有効に活用することができ、さらには同画像形成装置、光走査装置の小型化、省スペース化に寄与することができる取り付け構造を提供することができる。
【００３７】
ケースと光走査装置本体とを互いに位置決めするための位置決め手段を有することとすれば、偏向部材を、これを覆うケースごと、光走査装置本体に対して、かかる偏向部材によるビームの偏向方向に垂直な方向以外の方向から、所望の位置に装着でき、また離脱可能とすることができるから、ケースの組み付け性、交換性を確保するための構成の自由度が高いとともに、位置決め手段によりケースの位置精度を向上することができ、またこれを備える画像形成装置、光走査装置のレイアウトの自由度が高いとともに同画像形成装置内の空間を有効に活用することができ、さらには同画像形成装置、光走査装置の小型化、省スペース化に寄与することができるとともに、高性能化することができる取り付け構造を提供することができる。
【００３８】
係合面と被係合面とを有する取り付け構造において、位置決め手段が、上記係合面と上記被係合面とのうちの、何れか一方に凸設された凸部と、何れか他方に凹設され上記凸部と互いに係合する凹部とを有することとすれば、偏向部材を、これを覆うケースごと、光走査装置本体に対して、かかる偏向部材によるビームの偏向方向に垂直な方向以外の方向から、所望の位置に装着でき、また離脱可能とすることができるから、ケースの組み付け性、交換性を確保するための構成の自由度が高いとともに、比較的簡易な構成の位置決め手段により、ケースの位置精度を向上することができ、またこれを備える画像形成装置、光走査装置のレイアウトの自由度が高いとともに同画像形成装置内の空間を有効に活用することができ、さらには同画像形成装置、光走査装置の小型化、省スペース化に寄与することができるとともに、高性能化することができる取り付け構造を提供することができる。
【００３９】
本発明は、請求項１ないし５の何れか１つに記載の取り付け構造と、ケースと、光走査装置本体とを有する光走査装置にあるので、上述の各効果を奏する取り付け構造を有し、偏向部材を、これを覆うケースごと、かかる偏向部材によるビームの偏向方向に垂直な方向以外の方向から着脱可能とすることができるから、ケースの組み付け性、交換性を確保するための構成の自由度が高く、レイアウトの自由度が高くまたこれを備える画像形成装置のレイアウトの自由度が高いとともに、同画像形成装置内の空間を有効に活用することができ、さらにはその小型化、省スペース化に加えて同画像形成装置の小型化、省スペース化に寄与することができる光走査装置を提供することができる。
【００４０】
本発明は、請求項１ないし５の何れか１つに記載の取り付け構造、または、請求項６記載の光走査装置を有する画像形成装置にあるので、偏向部材を、これを覆うケースごと、かかる偏向部材によるビームの偏向方向に垂直な方向以外の方向から着脱可能とすることができるから、ケースの組み付け性、交換性を確保するための構成の自由度が高く、レイアウトの自由度が高いとともに内部の空間を有効に活用することができ、さらには小型化、省スペース化された画像形成装置を提供することができる。
【００４１】
画像形成装置本体内部を覆う被覆部材を有し、ケースが、上記被覆部材を画像形成装置本体から取り外したときに露出し、偏向部材により偏向されたビームの出射方向に平行な方向から着脱可能となることとすれば、偏向部材を、これを覆うケースごと、かかる偏向部材によるビームの偏向方向に垂直な方向以外の方向から極めて容易に着脱することができ、またこれにより、ケースの組み付け性、交換性を確保するための構成の自由度が高く、レイアウトの自由度が高いとともに内部の空間を有効に活用することができ、さらには小型化、省スペース化された画像形成装置を提供することができる。
【発明を実施するための最良の形態】
【００４２】
図１に、本発明を適用した、２色画像を形成可能な多色画像形成装置である画像形成装置の概略を示す。画像形成装置１００は、複写機、プリンタ、ファクシミリの複合機であって、外部から受信した画像情報に対応する画像信号に基づき画像形成処理を行なうことも可能である。これは画像形成装置１００がファクシミリとして用いられる場合も同様である。画像形成装置１００は、一般にコピー等に用いられる普通紙の他、ＯＨＰシートや、カード、ハガキ等の厚紙や、封筒等の何れをもシート状の記録媒体としてこれに画像形成を行なうことが可能である。
【００４３】
画像形成装置１００は、他のタイプの画像形成装置、すなわちたとえばプリンタ、ファクシミリ、複写機、複写機とプリンタとの複合機等であっても良い。
また画像形成装置１００は、２色画像を形成するものであるが、後述するように、フルカラー画像を形成することが可能なものであっても良い。
【００４４】
画像形成装置１００は、画像形成を行う画像形成部４と、画像形成部４の上方に配設された排紙トレイ１５と、排紙トレイ１５の上方に配設された原稿読み取り部１６と、画像形成部４の下方に配設された給紙装置１７とを有している。
画像形成部４は、その中心に配設された、ドラム状の像担持体としての感光体ドラムである、図示しない駆動源によって図中矢印Ａで示す時計方向に回転駆動される感光体５と、感光体５の上方に配設され、感光体５に、原稿読み取り部１６によって読み取った画像情報または外部から入力された画像情報に応じた潜像を形成するための光走査装置５１とを有している。
【００４５】
画像形成部４はまた、感光体５の周囲に、回転方向Ａに沿って配設された、感光体５を帯電させる第１の帯電手段としての帯電装置６と、感光体５に黒色のトナー像を担持させて現像を行なう第１の現像手段としての現像装置８と、図示しない電界形成手段としての電界形成装置と、現像装置８によって現像された感光体５を帯電させる図示しない第２の帯電手段としての第２の帯電装置と、感光体５に赤色のトナー像を担持させて現像を行なう第２の現像手段としての現像装置１８とを有している。
【００４６】
画像形成部４はまた、回転方向Ａにおける現像装置１８の下流側に、感光体５に対向して配設され感光体５上のトナー像を図示しないシート状の記録媒体としての用紙に転写するとともにトナー像を転写された用紙を搬送するための転写装置２０と、転写装置２０によって転写が行われた後に感光体５上に残留している残留トナーを感光体５上から掻き取ってクリーニングを行うクリーニング手段としてのクリーニング装置２と、クリーニング装置２によってクリーニングされた感光体５上の残留電荷を除電により除く図示しない除電手段としての除電装置とを有している。
【００４７】
画像形成部４はまた、給紙装置１７から搬送されてきた用紙をトナー像の位置に合わせた所定のタイミングで感光体５と転写装置２０との対向位置に給紙するレジストローラ１９と、転写装置２０により感光体５上のトナー像を転写されトナー像を担持した用紙に、そのトナー像を定着するための定着手段としての定着装置１０とを有している。
【００４８】
給紙装置１７は、多段に配設されそれぞれ用紙を積載する給紙トレイ３１と、給紙トレイ３１の上方に配設され画像形成部４で片面に画像を形成された用紙を一旦積載するとともに画像形成部４に再度給紙する両面トレイ３２と、給紙トレイ３１、両面トレイ３２に積載された用紙を画像形成部４に向けて送り出す給紙ローラ３３と、給紙ローラ３３によって送り出された用紙の搬送を受け継いで画像形成部４に向けてさらに搬送する搬送ローラ３４とを有している。
【００４９】
現像装置８は、黒色のトナーを用いて黒色の現像を行うものである。現像装置１８は、赤色のトナーを用いて赤色の現像を行うものである。このように現像装置８によって行う現像の色と現像装置１８によって行なう現像の色とは異なっている。現像装置８と帯電装置６とは第１の画像形成系を構成している。現像装置１８と第２の帯電装置とは第２の画像形成系を構成している。第２の画像形成系は、通常の黒単色モード時すなわち黒色画像を形成するときには作動せず、赤単色モード時すなわち赤色画像を形成するとき、または、黒色及び赤色による画像を形成する２色画像モード時に作動するようになっている。
【００５０】
転写装置２０は、ゴム材料よりなる中抵抗のベルト２１と、ベルト２１を巻き掛けられ、ベルト２１の駆動を行うための駆動ローラ２２と、駆動ローラ２２とともにベルト２１を巻き掛けられた従動ローラ２３と、ベルト２１を感光体５に対し、転写に適した所定のタイミングで接離する図示しない接離手段とを有する、転写ベルト方式の転写装置である。
画像形成装置１００は、転写装置２０により、感光体５上に複数の色で形成された複数のトナー像を、用紙に一括転写して画像を形成するようになっている。
【００５１】
定着装置１０は、発熱する加熱ローラ２５と、加熱ローラ２５に圧接した加圧ローラ２６とを有しており、用紙に担持されたトナー像を、加熱に溶融し圧接により圧着させることで、用紙に定着させる。
排紙トレイ１５は、画像形成装置１００の胴内に配設されている。画像形成装置１００は胴内排紙型の画像形成装置である。
【００５２】
光走査装置５１は、感光体５に対し、方向Ａにおける帯電装置６と現像装置８との間に黒色画像に対応したビームＬ１を照射し、原稿情報に応じた潜像を形成するとともに、方向Ａにおける第２の帯電装置と現像装置１８との間に赤色画像に対応したビームＬ２を照射し、原稿情報に応じた潜像を形成する。
【００５３】
よって、感光体５は、第１の画像形成系では、帯電装置６によって帯電された後、ビームＬ１によって潜像を形成され、現像装置８によって黒色の現像を行われ、また、第２の画像形成系では、第２の帯電装置によって帯電された後、ビームＬ２によって潜像を形成され、現像装置１８によって赤色の現像を行われる。
【００５４】
図２に示すように、光走査装置５１は、レーザービームとしてのレーザー光であるビームＬ１、Ｌ２をそれぞれ発する図示しない半導体レーザを備えた光源５２、５３と、光源５２から発せられたビームＬ１を透過し、光源５３から発せられたビームＬ２を反射するミラー５４と、ミラー５４を経た、上下に一定の間隔を保って入射してくるビームＬ１、Ｌ２を偏向するためのポリゴンユニット５５と、ポリゴンユニット５５によって偏向されたビームＬ１、Ｌ２を透過するｆθレンズ５６、５７と、ｆθレンズ５６、５７を透過した、光源５２からのビームＬ１、光源５３からのビームＬ２をそれぞれ反射するミラー５８、５９とを有している。
【００５５】
光走査装置５１はまた、ミラー５８によって反射されたビームＬ１を反射する図３に示すミラー６０と、ミラー６０によって反射されたビームＬ１を反射する図２に示すミラー６１、６２と、ミラー６１、６２によって反射されたビームＬ１を検知する図２に示す同期検知センサ６３、６４と、図３に示すように、ミラー６０、５９によって反射されたそれぞれのビームＬ１、Ｌ２を透過するＢＴＬレンズであるトロイダルレンズ６５、６６と、トロイダルレンズ６５、６６を透過したそれぞれのビームＬ１、Ｌ２を感光体５に向けて反射するミラー６７、６８と、光学箱としてのケーシング６９とを有している。
【００５６】
図４に示すように、ケーシング６９は、ケーシング本体７４、上カバー７５等を有している。
ｆθレンズ５６、５７、ミラー５８、５９、ミラー６０、ミラー６１、６２、トロイダルレンズ６５、６６、ミラー６７、６８は、それぞれ光学素子であり、光学素子群を構成している。
【００５７】
ケーシング６９は、かかる光学素子群、ポリゴンユニット５５、光源５２、５３、ミラー５４等を、高精度に固定し、保持している。ケーシング６９は、かかる光学素子群等が埃、ごみ等を嫌うことから、内部の空間を密閉し、防塵性を有しているとともに、かかる密閉により、遮光性も担保している。
【００５８】
図３に示すように、ポリゴンユニット５５は、モータ７０と、モータ７０によって回転駆動され、光源５２からのビームＬ１、光源５３からのビームＬ２をそれぞれ反射する、２段に重ねられた、回転多面鏡である偏向部材としてのポリゴンミラー７１、７２と、ポリゴンミラー７１、７２を覆うとともに収納し、密閉したケースとしてのカバー７９とを有している。
【００５９】
図５に示すように、ポリゴンユニット５５は、光走査装置５１本体、言い換えるとケーシング６９に対し、着脱可能となっている。ポリゴンユニット５５を光走査装置５１本体に対し着脱可能とするための構成として、光走査装置５１は、取り付け構造８６を有している。
【００６０】
取り付け構造８６は、ポリゴンユニット５５を、光走査装置５１本体に対し、ポリゴンミラー７１、７２により偏向されたビームＬ１、Ｌ２の出射方向に平行なＢ方向すなわち図２、図３における左右方向に着脱可能とするものである。そのため、取り付け構造８６は、Ｂ方向に垂直な面によって構成され、互いに当接する、カバー７０に備えられた係合面としての取り付け基準面である基準面８７と、ケーシング６９に備えられた被係合面としての取り付け基準面である基準面８８とを有している。
【００６１】
基準面８７は、カバー７９に形成された平板状の取り付け部８９に備えられている。取り付け部８９は、ねじ９１を締結するための複数の孔９２と、ポリゴンミラー７１、７２へのビームＬ１、Ｌ２の入出射を行うための開口部である図示しない走査窓と、この走査窓に嵌め込まれ、これを塞ぐ図示しない防音ガラスとを有している。
【００６２】
基準面８８は、ケーシング６９に平板状に突設された被取り付け部９０に備えられている。被取り付け部９０は、走査窓に対向する部分に配設された、ビームＬ１、Ｌ２の出入射を行うための開口部９３と、孔９２に対応する部分に形成された、ねじ９１を締結するための複数の孔９４とを有している。
【００６３】
孔９２、９４は、ポリゴンユニット５５と光走査装置５１本体とを互いに位置決めするための位置決め手段９５を構成している。
そして、基準面８７と基準面８８とを互いに対向させ、孔９２と孔９４とが連通した状態でねじ９１を孔９２と孔９４とにおいて締結することで、ポリゴンユニット５５が、光走査装置５１本体に対し、Ｂ方向に直交する面内において正確に位置決めされるとともに、Ｂ方向においても正確に位置決めされた状態で、装着され、固定される。
【００６４】
このような構成では、ポリゴンユニット５５が、光走査装置５１本体の外部に位置するため、ポリゴンユニット５５が発熱しても、光走査装置５１本体内の光学素子群、光源５２、５３等が昇温することが防止され、これらの光学性能の劣化を抑制し、画像形成に影響を与えることが防止される。
【００６５】
また、ポリゴンユニット５５が、光走査装置５１本体の外部に位置するため、光走査装置５１本体の内部すなわちケーシング６９の内部を開放することなく、ポリゴンユニット５５が交換されるため、交換作業が容易であり、交換性が大幅に向上しているとともに、ポリゴンユニット５５を交換するときに、光走査装置５１本体の内部に埃等が侵入することを防止し、光学性能が低下することを防止している。
【００６６】
さらに、基準面８７と基準面８８とがＢ方向に対して精度よく垂直な面をなしているため、ポリゴンユニット５５の取り付け位置精度が高く、ポリゴンユニット５５内に備えられたポリゴンミラー７１、７２は、光学素子群、光源５２、５３等との位置関係を、精度よく設定され、ポリゴンユニット５５を外付けしたことによる光学性能の低下が生じることがない。
【００６７】
また、ポリゴンミラー７１、７２を、カバー７９により密閉しているから、ポリゴンユニット５５の内部に埃等が侵入することを防止し、光学性能が低下することを防止している。
ポリゴンユニット５５は、光走査装置５１に装着した状態で露出しているから、画像形成装置１００内の空気の対流等、空気の流れにより、冷却が行われるため、その光学性能が維持される。
【００６８】
なお、ポリゴンユニット５５を積極的に冷却すべく、ポリゴンユニット５５に空気を吹き付けるファン等の冷却手段を配設しても良い。
次に、取り付け構造８６の別の形態例を説明する。別の形態例については、上に述べた事項と異なる事項について説明を行い、その余の事項については、上述の構成と対応する構成に同じ符号を付する等して、説明を省略する。
【００６９】
図６に、取り付け構造８６の別の形態例を示す。この取り付け構造８６は、ポリゴンユニット５５を光走査装置５１本体に対しＢ方向に直交する面内においてより正確に位置決めし、位置決め精度を向上させるべく、位置決め手段９５が、孔９２、９４に加えて次の構成を有している。すなわち、被取り付け部９０が、基準面８８に突設された凸部としての複数のピン９６を有しているとともに、取り付け部８９が、基準面８７に、ピン９６に対応した位置に凹設されピン９６が勘合する凹部としての孔９７を有している。
【００７０】
この取り付け構造８６では、基準面８７と基準面８８とを互いに対向させ、ピン９６を孔９７に嵌合させたうえで、孔９２と孔９４とが連通した状態でねじ９１を孔９２と孔９４とにおいて締結することで、ポリゴンユニット５５が、光走査装置５１本体に対し、Ｂ方向に直交する面内においてより正確に位置決めされるとともに、Ｂ方向においても正確に位置決めされた状態で、装着され、固定される。
【００７１】
なお、位置決め手段９５の更なる別の形態例としては、かかるピン９６、孔９７をそれぞれ、基準面８７、基準面８８に形成しても良いし、基準面８７および基準面８８がそれぞれピン９６および孔９７を有するようにしても良いし、このような形態とともに、あるいはこのような形態に代えて、ポリゴンユニット５５と光走査装置５１本体とを互いに２方向において突き当てるようにしても良いし、さらにこのような形態とともに、あるいはこのような形態に代えて、段付きねじ等による位置決めを行う形態とすることが挙げられる。
【００７２】
図７に、取り付け構造８６のまた別の形態例を示す。この取り付け構造８６は、被取り付け部９０が、ポリゴンユニット５５を固定する棚のような形状となっており、基準面８８を形成する、発泡ウレタン等の弾性を有する弾性部材としてのシール部材２９を備えているとともに、ポリゴンユニット５５を、Ｂ方向とこれに垂直な２方向との３方向で位置決めするための基準面９８ａ、９８ｂ、９８ｃ、と基準面９８ｃを有する凹部としての溝３８とを有している。
【００７３】
取り付け部８９は、ポリゴンミラー７１、７２へのビームＬ１、Ｌ２の入出射を行うための開口部である図示しない走査窓と、この走査窓に嵌め込まれ、これを塞ぐ図示しない防音ガラスとを有している。被取り付け部９０は、走査窓に対向する部分に配設された、ビームＬ１、Ｌ２の出入射を行うための図示しない開口部を有している。
【００７４】
シール部材２９は、かかる走査窓及びかかる開口部に連通する長孔３０を有している。シール部材２９は、防塵性、遮光性を担保するものである。
ポリゴンユニット５５は、カバー７９に突設され、基準面９８ａ、９８ｂにそれぞれ係合する基準面９９ａ、９９ｂを備えた位置決め突起３９と、ポリゴンユニット５５の底面に突設され、溝３８に嵌合することで基準面９８ｃに係合する凸部としての軸受け部９９ｃとを有している。
【００７５】
位置決め手段９５は、基準面９８ａ、９８ｂ、９８ｃと、基準面９９ａ、９９ｂと、軸受け部９９ｃと、基準面９８ａ、９８ｂにそれぞれ基準面９９ａ、９９ｂを押圧し圧接する加圧力を有する板ばね３５と、板ばね３５を被取り付け部９０に固定するためのねじ孔３６と、ねじ孔３６に締結することにより板ばね３５を被取り付け部９０に固定するためのねじ９１とを有している。
【００７６】
この例においては、軸受け部９９ｃを溝３８に嵌合させてスライドさせながら、ポリゴンユニット５５を被取り付け部９０に近づけるようにＢ方向に移動させて、基準面９９ａ、９９ｂ、軸受け部９９ｃをそれぞれ、基準面９８ａ、９８ｂ、９８ｃに当接させ、この状態で、板ばね３５を、ねじ９１を孔３６に締結することで、位置決め突起３９を板ばね３５によって被取り付け部９０に押し付けることで、ポリゴンユニット５５を光走査装置５１本体に取り付ける。
【００７７】
ポリゴンユニット５５の光走査装置５１本体に対する位置決めは、基準面９８ａ、９８ｂ、９８ｃそれぞれと、基準面９９ａ、９９ｂ、軸受け部９９ｃそれぞれとの当接によって行われるほか、ポリゴンユニット５５とケーシング６９との間に挟持されたシール部材２９の弾性を利用して行われる。
【００７８】
シール部材２９は、ポリゴンユニット５５の発熱時にポリゴンユニット５５とケーシング６９との間に大きな応力が発生することを防止し、光学性能の低下を防止する機能も有している。
この形態例は、図５、図６に示した形態例に比して、ポリゴンユニット５５を光走査装置５１本体に対して３次元的に位置決めしやすいという利点がある。一方、図５、図６に示した形態例は、この形態例に比して、構成が簡易であり、装置を小型化できるという利点がある。
【００７９】
また、上述の何れの形態例においても、ポリゴンユニット５５を光走査装置５１本体に対してＢ方向において着脱するので、画像形成装置１００の構造として、ポリゴンユニット５５を光走査装置５１本体に対してＢ方向において着脱するための空間以外に、Ｂ方向に垂直な方向に、作業のための空間を形成することが不要となり、電装ボードや原稿読み取り部１６のようなスキャナユニット等を、ポリゴンユニット５５を着脱するための空間の、Ｂ方向に垂直な方向に配設することが可能となる。
【００８０】
また、ポリゴンユニット５５の着脱作業のための空間を形成するために、着脱の作業時に、画像形成装置内に配設された他のユニットやパーツ、部品を取り外す必要がなくポリゴンユニット５５の着脱が容易に行われる。
この作業性を考慮し、画像形成装置１００においては、画像形成装置１００の本体内部を覆う筐体を構成する側板等の図示しない被覆部材を取り外したときに、ポリゴンユニット５５が露出して、Ｂ方向から着脱可能となるよう、画像形成装置１００の本体内のユニット、光走査装置５１、パーツ、部品のレイアウトが決定されている。
これらのことは、一般的に、画像形成装置の小型化、省スペース化のため、光走査装置を、画像形成装置を構成する多くのユニットやパーツ、部品の間のわずかな隙間に納める今般の傾向に適している。
【００８１】
画像形成装置の構成についてさらに言及すると、上述の画像形成装置１００では、偏向部材としてのポリゴンミラー７１、７２が、水平面内で回転する構成となっていたが、図８に示すように、画像形成装置は、偏向部材が鉛直面内で回転する構成であっても良い。この画像形成装置２００において上述の画像形成装置１００の構成に対応する構成には同様の符号を付するに留め、画像形成装置２００についての説明は、主に、画像形成装置１００と異なる構成について行う。
【００８２】
画像形成装置２００は、イエロー、マゼンタ、シアン、ブラックの各色に色分解された色にそれぞれ対応する像としての画像を形成可能な複数のドラム状の像担持体としての感光体ドラムである、図示しない駆動源によって図中矢印Ａで示す時計方向に回転駆動される感光体５Ｙ、５Ｍ、５Ｃ、５ＢＫを並設したタンデム構造を採用したタンデム型のフルカラープリンタである。
【００８３】
感光体５Ｙ、５Ｍ、５Ｃ、５ＢＫは、同一径であり、画像形成装置２００の本体内部のほぼ中央部に配設された無端ベルトである中間転写ベルトとしての転写ベルト４１の外周面側すなわち作像面側に、等間隔で並んでいる。
転写ベルト４１は、各感光体５Ｙ、５Ｍ、５Ｃ、５ＢＫに対峙しながら矢印Ｃ方向に移動可能となっている。各感光体５Ｙ、５Ｍ、５Ｃ、５ＢＫに形成された可視像すなわちトナー像は、Ｃ方向に移動する転写ベルト４１上を搬送される、シート状の記録媒体としての用紙Ｓに順次転写される態様で重畳転写されるようになっている。
【００８４】
用紙Ｓに対する重畳転写は、転写ベルト４１がＣ方向に移動する過程において、各感光体５Ｙ、５Ｍ、５Ｃ、５ＢＫに形成されたトナー像が、用紙Ｓの同じ位置に重ねて転写されるよう、転写ベルト４１を挟んで各感光体５Ｙ、５Ｍ、５Ｃ、５ＢＫのそれぞれに対向する位置に配設された転写チャージャ４２Ｙ、４２Ｍ、４２Ｃ、４２ＢＫによる電圧印加によって、Ｃ方向上流側から下流側に向けてタイミングをずらして、各感光体５Ｙ、５Ｍ、５Ｃ、５ＢＫの真下の位置すなわち転写位置にて行われる。
【００８５】
各感光体５Ｙ、５Ｍ、５Ｃ、５ＢＫは、Ｃ方向の上流側からこの順で並設されている。各感光体５Ｙ、５Ｍ、５Ｃ、５ＢＫはそれぞれ、イエロー、マゼンタ、シアン、ブラックの画像を形成するための、画像形成部４Ｙ、４Ｍ、４Ｃ、４ＢＫに備えられている。
画像形成装置２００は、４つの画像形成部４Ｙ、４Ｍ、４Ｃ、４ＢＫ、および、各感光体５Ｙ、５Ｍ、５Ｃ、５ＢＫの下方に対向して配設され、転写ベルト４１を備えた転写ベルトユニット４３等を有している。
【００８６】
転写ベルトユニット４３は、転写ベルト４１の他に、転写チャージャ４２Ｙ、４２Ｍ、４２Ｃ、４２ＢＫと、転写ベルト４１を巻き掛けられた駆動ローラ４４、従動ローラ４５、テンションローラ４６と、テンションローラ４６を転写ベルト４１の張力を増加する方向に付勢する付勢手段としての図示しないばねとを有している。駆動ローラ４４は、図示しない駆動源としてのモータの駆動により回転駆動され、これによって、転写ベルト４１がＣ方向に回転駆動される。
【００８７】
画像形成部４Ｙ、４Ｍ、４Ｃ、４ＢＫについて、そのうちの一つの、感光体５Ｙを備えた画像形成部４Ｙの構成を代表して構成を説明する。なお、他の画像形成部４Ｍ、４Ｃ、４ＢＫの構成に関しても実質的に同一であるので、以下の説明においては、便宜上、画像形成部４Ｙの構成に付した符号に対応する符号を、他の画像形成部４Ｍ、４Ｃ、４ＢＫの構成に付し、また詳細な説明については適宜省略することとし、符号の末尾にＹ、Ｍ、Ｃ、ＢＫが付されたものはそれぞれ、イエロー、マゼンタ、シアン、ブラックの画像形成を行うための構成であることを示すこととする。
【００８８】
画像形成部４Ｙは、感光体５Ｙと、感光体５Ｙの周囲にＡ方向に沿って配設された、感光体５Ｙを帯電させる帯電手段としての帯電装置６Ｙと、帯電装置６Ｙによって帯電された感光体５ＹにビームＬＹを照射して潜像を形成する光走査装置５１Ｙと、光走査装置５１Ｙによって潜像を形成された感光体５Ｙにイエローのトナー像を担持させて現像を行なう現像装置８Ｙとを有している。
【００８９】
画像形成部４Ｙはまた、感光体５Ｙの周囲にＡ方向に沿って、現像装置８Ｙの下流側に、転写チャージャ４２Ｙと、転写チャージャ４２Ｙによって転写が行われた後に感光体５Ｙ上に残留している残留トナーを感光体５Ｙ上から掻き取ってクリーニングを行うクリーニング手段としてのクリーニング装置２Ｙと、クリーニング装置２Ｙによってクリーニングされた感光体５Ｙ上の残留電荷を除電により除く図示しない除電手段としての除電装置を有している。
【００９０】
光走査装置５１Ｙは、上述の光走査装置５１と同様の構成であるが、図示しない光源を１つのみ有する１ビームタイプの光走査装置である。光走査装置５１Ｙは、上述のポリゴンユニット５５と同様の構成のポリゴンユニット５５Ｙを有しており、ポリゴンユニット５５Ｙは、光走査装置５１Ｙ本体に対しＢ方向に着脱可能となっている。Ｂ方向は、鉛直方向に略平行とされている。
【００９１】
図８に示すように、光走査装置５１Ｙ、５１Ｍ、５１Ｃ、５１ＢＫは、画像形成装置２００本体内の、最上位に位置しており、画像形成装置２００の本体内部を覆う筐体を構成する側板等の図示しない被覆部材を取り外したときに、ポリゴンユニット５５Ｙ、５５Ｍ、５５Ｃ、５５ＢＫが露出して、Ｂ方向から着脱可能となるようになっている。
【００９２】
被覆部材は、ポリゴンユニット５５Ｙ、５５Ｍ、５５Ｃ、５５ＢＫに対向する位置に配設されている。被覆部材は、ポリゴンユニット５５Ｙ、５５Ｍ、５５Ｃ、５５ＢＫ毎にそれぞれ配設されているが、すべてのポリゴンユニット５５Ｙ、５５Ｍ、５５Ｃ、５５ＢＫに対して１つ配設しても良い。
【００９３】
ポリゴンユニット５５Ｙ、５５Ｍ、５５Ｃ、５５ＢＫは、被覆部材近傍に位置しているため、その着脱が容易に行われる。また、被覆部材には、図示しない排気孔が形成されており、ポリゴンユニット５５Ｙ、５５Ｍ、５５Ｃ、５５ＢＫとの熱交換により昇温した空気が上昇して排気されるようになっている。
かかる排気は、ポリゴンユニット５５Ｙ、５５Ｍ、５５Ｃ、５５ＢＫは、被覆部材近傍に位置しているため、スムーズに行われる。したがって、光走査装置５１Ｙ、５１Ｍ、５１Ｃ、５１ＢＫは、昇温による光学性能の低下を防止されている。
【００９４】
以上画像形成装置の他の形態例について説明したが、その他、偏向部材は、水平方向に対して傾斜した平面内で回転するように配設しても良いし、画像形成装置は、単色画像のみを形成するものであってもよい。
以上、本発明を実施するための形態として、本発明を適用した取り付け構造、これを有する光走査装置及びこれらを有する画像形成装置について説明したが、本発明の適用は、上述の説明において特に限定を行っていない限り、上述の形態に限られるものではない。
【図面の簡単な説明】
【００９５】
【図１】本発明を適用した画像形成装置の概略正面図である。
【図２】図１に示した画像形成装置に備えられた光走査装置の平面図である。
【図３】図１に示した画像形成装置に備えられた光走査装置の正面図である。
【図４】図１に示した画像形成装置に備えられた光走査装置の分解斜視図である。
【図５】図２ないし４に示した光走査装置に備えられた取り付け構造を示す分解斜視図である。
【図６】図1に示した画像形成装置に搭載された光走査装置に備えられた取り付け構造の別の例を示す分解斜視図である。
【図７】図1に示した画像形成装置に搭載された光走査装置に備えられた取り付け構造のまた別の例を示す分解斜視図である。
【図８】本発明を適用した画像形成装置の別の例を示す概略正面図である。
【図９】従来の光走査装置の平面図である。
【図１０】図９に示した光走査装置の正面図である。
【図１１】図９に示した光走査装置の分解斜視図である。
【図１２】従来の光走査装置の別の例の分解斜視図である。
【図１３】従来の光走査装置のまた別の例の平面図である。
【図１４】図１３に示した光走査装置の正面図である。
【図１５】図１３に示した光走査装置の一部拡大分解斜視図である。
【図１６】図１３に示した光走査装置の別の構成例の一部を示す平面図である。
【符号の説明】
【００９６】
２９    弾性部材
５３、５４    光源
７１、７２    偏向部材
７９    ケース
８６    取り付け構造
８７    係合面
８８    被係合面
９５    位置決め手段
９６    凸部
９７    凹部
１００、２００    画像形成装置
Ｂ    ビームの出射方向に平行な方向
Ｌ１、Ｌ２、ＬＹ、ＬＭ、ＬＣ、ＬＢＫ    ビーム
【図１】
2005266208.tif 000003
【図２】
2005266208.tif 000004
【図３】
2005266208.tif 000005
【図４】
2005266208.tif 000006
【図５】
2005266208.tif 000007
【図６】
2005266208.tif 000008
【図７】
2005266208.tif 000009
【図８】
2005266208.tif 000010
【図９】
2005266208.tif 000011
【図１０】
2005266208.tif 000012
【図１１】
2005266208.tif 000013
【図１２】
2005266208.tif 000014
【図１３】
2005266208.tif 000015
【図１４】
2005266208.tif 000016
【図１５】
2005266208.tif 000017
【図１６】
2005266208.tif 000018